(57)【特許請求の範囲】
【請求項１】
対象物を支持するための支持構造であって、該支持構造は、
前記対象物を左右２箇所でそれぞれ支持する左右の支持部材と、
前記左右の支持部材の下部にそれぞれ組み付けられ、組付け状態で左右対称となる形状に形成されている左右の連結部材と、
前記左右の連結部材にそれぞれ組み付けられて前記左右の連結部材をそれぞれ支持する左右の脚部とを備え、
前記左右の連結部材は、
前記左右の脚部をそれぞれ取り付けるための取付部位と、
前記取付部位から所定距離だけ離れた高さにステップを形成するように、前記取付部位から突出して設けられた突出部とをそれぞれ含み、
前記左右の連結部材は、
（ａ）前記突出部を上向きにした状態で前記取付部位に前記左右の脚部をそれぞれ取り付けたとき、前記取付部位から所定距離だけ高い位置に前記ステップが位置して、前記ステップに前記左右の支持部材の下部をそれぞれ組み付けるように構成され、一方、
（ｂ）前記突出部を下向きにした状態で前記取付部位に前記左右の脚部をそれぞれ取り付けたとき、前記取付部位から所定距離だけ低い位置に前記ステップが位置して、前記ステップに前記左右の支持部材の下部をそれぞれ組み付けるように構成されており、
前記左右の連結部材には、前記左右の脚部をそれぞれ取り付けるべく、２つの前記取付部位がそれぞれ設けられており、
前記左右の連結部材は、前記２つの取付部位のうち少なくとも第１の取付部位が、組み付け状態にて、それぞれ内側に突出するように構成されている
ことを特徴とする支持構造。
【請求項２】
請求項１に記載の支持構造において、
前記左右の連結部材は、前端部と後端部とをそれぞれ有し、前記第１の取付部位は前記後端部に設けられ、前記２つの取付部位のうち第２の取付部位は前記前端部に設けられている支持構造。
【請求項３】
対象物を支持するための支持構造であって、該支持構造は、
前記対象物を支持する支持部材と、
前記支持部材の下部に組み付けられる連結部材と、
前記連結部材に組み付けられて前記連結部材を支持する脚部とを備え、
前記連結部材は、
前記脚部を取り付けるための取付部位と、
前記取付部位から所定距離だけ離れた高さにステップを形成するように、前記取付部位から突出して設けられた突出部とを含み、
前記連結部材は、
（ａ）前記突出部を上向きにした状態で前記取付部位に前記脚部を取り付けたとき、前記取付部位から所定距離だけ高い位置に前記ステップが位置して、前記ステップに前記支持部材の下部を組み付けるように構成され、一方、
（ｂ）前記突出部を下向きにした状態で前記取付部位に前記脚部を取り付けたとき、前記取付部位から所定距離だけ低い位置に前記ステップが位置して、前記ステップに前記支持部材の下部を組み付けるように構成されており、
１つの前記連結部材に対応して、複数の前記脚部が取り付けられるように、複数の前記取付部位が設けられている
ことを特徴とする支持構造。
【請求項４】
請求項１乃至３のうちのいずれ一つに記載の支持構造において、更に、
前記連結部材とそれに対応する前記脚部を覆うためのカバーを備えている支持構造。
【請求項５】
請求項１乃至４のうちのいずれ一つに記載の支持構造において、
前記脚部はキャスターを有する支持構造。
【請求項６】
請求項１乃至５のうちのいずれ一つに記載の支持構造において、
前記対象物は鍵盤である支持構造。
【請求項７】
請求項１乃至５のうちのいずれ一つに記載の支持構造において、
前記対象物はテーブルの天板である支持構造。
【発明の詳細な説明】
【技術分野】
【０００１】
本発明は、鍵盤あるいはテーブルの天板などの対象物を下方にて支持するための支持構造に関し、特に、高さ調節が可能な支持構造に関する。
【背景技術】
【０００２】
従来から、鍵盤の高さを変えることはよく知られている。例えば、下記特許文献１には、鍵盤と、鍵盤を載置する棚板と、棚板の両側端部を支持する一対の側板と、棚板の両側端部から立設する一対の腕木とを備えた電子鍵盤楽器において、腕木に側板の上端部を収容する凹部を設けておき、棚板が、固定部材により、側板に上下方向にスライド自在に取り付けられるようにすることが示されている。
【０００３】
また、鍵盤の高さを変えるための他の方法として、脚（側板）を伸縮可能に構成する、あるいは、脚の中間に継ぎ脚を介装する、あるいは、脚の下にスペーサを適宜設置する、等の工夫をすることも従来から知られている。
【先行技術文献】
【特許文献】
【０００４】
【特許文献１】特開平７−２９５５４８号公報
【発明の概要】
【０００５】
しかしながら、上記前者の従来技術による棚板を側板に上下方向にスライド自在に取り付ける方法では、高い強度及び安定性を得ることができないという問題がある。また、上記後者の従来技術による脚を工夫する方法では、不安定であったり、製造コストが高くなったりするという問題がある。
【０００６】
本発明は、このような問題に対処するためになされたもので、その目的は、高い強度及び安定性を有し、製造コストを低く抑えた支持構造（若しくは支持装置）を提供することにある。
【０００７】
前述した目的を達成するため、第１の発明は、対象物を支持するための支持構造であって、該支持構造は、前記対象物を左右２箇所でそれぞれ支持する左右の支持部材と、前記左右の支持部材の下部にそれぞれ組み付けられ、組付け状態で左右対称となる形状に形成されている左右の連結部材と、前記左右の連結部材にそれぞれ組み付けられて前記左右の連結部材をそれぞれ支持する左右の脚部とを備え、前記左右の連結部材は、前記左右の脚部をそれぞれ取り付けるための取付部位と、前記取付部位から所定距離だけ離れた高さにステップを形成するように、前記取付部位から突出して設けられた突出部とをそれぞれ含み、前記左右の連結部材は、（ａ）前記突出部を上向きにした状態で前記取付部位に前記左右の脚部をそれぞれ取り付けたとき、前記取付部位から所定距離だけ高い位置に前記ステップが位置して、前記ステップに前記左右の支持部材の下部をそれぞれ組み付けるように構成され、一方、（ｂ）前記突出部を下向きにした状態で前記取付部位に前記左右の脚部をそれぞれ取り付けたとき、前記取付部位から所定距離だけ低い位置に前記ステップが位置して、前記ステップに前記左右の支持部材の下部をそれぞれ組み付けるように構成されており、前記左右の連結部材には、前記左右の脚部をそれぞれ取り付けるべく、２つの前記取付部位がそれぞれ設けられており、前記左右の連結部材は、前記２つの取付部位のうち少なくとも第１の取付部位が、組み付け状態にて、それぞれ内側に突出するように構成されている。
【０００８】
この第１の発明の構成によれば、上記（ａ）のように、前記突出部を上向きにした状態で前記取付部位に前記左右の脚部をそれぞれ取り付けたときは、前記突出部の前記ステップが前記取付部位から所定距離だけ高い位置に位置することになり、また、上記（ｂ）のように、前記突出部を下向きにした状態で前記取付部位に前記左右の脚部をそれぞれ取り付けたときは、前記突出部の前記ステップが前記取付部位から所定距離だけ低い位置に位置することになるので、前記左右の連結部材の配置を上下反転することにより、前記ステップの高さを２段階に調整することができ、これに伴い、上方に配置された前記対象物の高さが２段階に調整されることになる。こうして、対象物の高さを高くしたり、低くしたりすることができる。そして、前記左右の連結部材は、前記左右の支持部材と前記左右の脚部との間にそれぞれ組み付けられるので、対象物は、高い強度及び安定性をもって、左右の支持部材、左右の連結部材及び左右の脚部からなる支持構造により支持されることになる。さらに、左右の連結部材を左右の支持部材と左右の脚部との間にそれぞれ介装させるだけであるので、対象物の上下方向の高さの変更を、簡単な構成で実現でき、もって、この支持構造を構成する装置（支持装置）の製造コストを低く抑えることもできる。
【０００９】
また、第１の発明においては、前記対象物を左右２箇所でそれぞれ支持する左右の支持部材と、前記左右の支持部材の下部にそれぞれ組み付けられる左右の連結部材と、前記左右の連結部材にそれぞれ組み付けられて前記左右の連結部材をそれぞれ支持する左右の脚部とを備えるようにした。このような前記対象物を左右２箇所で支持する構造は、例えば楽器の鍵盤のように、前記対象物が横長の構造を持つものに適する。また、楽器の鍵盤のように、前記対象物が横長の構造を持ち、かつ、その奥行きもある程度の幅を持つ場合は、前記左右の支持部材として、それぞれ１枚の側板からなるものが用いられる。その場合、１枚の側板（支持部材）の下部を１個の連結部材で支持し、該１個の連結部材を前後２個の脚部で支持するように構成してもよい。
また、第１の発明においては、前記左右の支持部材を支持するための前記左右の連結部材は、組み付け状態で、左右対称となる形状に形成されている。これにより、前記対象物を配置する高さ位置を変更するために前記連結部材を上下反転して使用するとき、前記左右の連結部材を入れ替えて使用することが容易に行えるようになる。すなわち、前記対象物が高い位置に設定される状態と、低い位置に設定される状態とで、前記左右一対の連結部材を入れ替えて、上下逆さまにして、左の支持部材（左側板）及び右の支持部材（右側板）の下端部、及び前記左右の脚部の上端部にそれぞれ組み付けるようにすることができ、その結果、左右対称形状の一対の連結部材を有効に活用でき、部品点数を減らすことができる。
【００１０】
さらに、第１の発明においては、前記左右の連結部材には、前記左右の脚部をそれぞれ取り付けるべく、２つの前記取付部位がそれぞれ設けられており、前記左右の連結部材は、前記２つの取付部位のうち少なくとも第１の取付部位が、組み付け状態にて、それぞれ内側に突出するように構成されている。この場合、前記左右の連結部材は、前端部と後端部とをそれぞれ有し、前記第１の取付部位は前記後端部に設けられ、前記２つの取付部位のうち第２の取付部位は前記前端部に設けられるとよい。これにより、前記対象物を配置する高さ位置を変更するために前記左右の連結部材を上下反転しかつ入れ替えて使用するとき、前記左右の連結部材における前記突出した取付部位は、常に内側に突出した状態に位置することになり、もって、この支持構造を備えた装置を室内の壁寄りに配置したとき、前記左右の連結部材の突出した取付部位及びそこに組み付けられた脚部が、左右の壁又は後壁のいずれにも衝突しないようにすることができる。例えば対象物が鍵盤の場合、左の支持部材（左側板）及び右の支持部材（右側板）を備えた鍵盤楽器を室内に設置する場合でも、連結部材及び脚部を左右壁及び後壁に衝突させることなく、的確に鍵盤楽器を配置させることができる。また、左右の連結部材及び脚部は、左の支持部材（左側板）及び右の支持部材（右側板）のどちらからも外側に出っ張らないので、鍵盤楽器の外観も良好となる。
【００１１】
また、第２の発明は、対象物を支持するための支持構造であって、該支持構造は、前記対象物を支持する支持部材と、前記支持部材の下部に組み付けられる連結部材と、前記連結部材に組み付けられて前記連結部材を支持する脚部とを備え、前記連結部材は、前記脚部を取り付けるための取付部位と、前記取付部位から所定距離だけ離れた高さにステップを形成するように、前記取付部位から突出して設けられた突出部とを含み、前記連結部材は、（ａ）前記突出部を上向きにした状態で前記取付部位に前記脚部を取り付けたとき、前記取付部位から所定距離だけ高い位置に前記ステップが位置して、前記ステップに前記支持部材の下部を組み付けるように構成され、一方、（ｂ）前記突出部を下向きにした状態で前記取付部位に前記脚部を取り付けたとき、前記取付部位から所定距離だけ低い位置に前記ステップが位置して、前記ステップに前記支持部材の下部を組み付けるように構成されており、１つの前記連結部材に対応して、複数の前記脚部が取り付けられるように、複数の前記取付部位が設けられているように構成されている。
【００１２】
この第２の発明の構成によっても、前記第１の発明と同様に、上記（ａ）のように、前記突出部を上向きにした状態で前記取付部位に前記脚部を取り付けたときは、前記突出部の前記ステップが前記取付部位から所定距離だけ高い位置に位置することになり、また、上記（ｂ）のように、前記突出部を下向きにした状態で前記取付部位に前記脚部を取り付けたときは、前記突出部の前記ステップが前記取付部位から所定距離だけ低い位置に位置することになるので、前記連結部材の配置を上下反転することにより、前記ステップの高さを２段階に調整することができ、これに伴い、上方に配置された前記対象物の高さが２段階に調整されることになる。こうして、対象物の高さを高くしたり、低くしたりすることができる。そして、前記連結部材は、前記支持部材と前記脚部との間に組み付けられるので、対象物は、高い強度及び安定性をもって、支持部材、連結部材及び脚部からなる支持構造により支持されることになる。さらに、連結部材を支持部材と脚部との間に介装させるだけであるので、対象物の上下方向の高さの変更を、簡単な構成で実現でき、もって、この支持構造を構成する装置（支持装置）の製造コストを低く抑えることもできる。
また、第２の発明においては、１つの前記連結部材に対応して、複数の前記脚部が取り付けられるように、複数の前記取付部位が設けられているように構成されている。これにより、一つの連結部材が複数の脚部で支持されることになる。その結果、この第2の発明によれば、前記対象物を１箇所で支持することができるとともに、安定した下部構造を提供できる。このような前記対象物を１箇所で支持する構造は、例えば円形テーブルの天板のように、前記対象物が円板形状を持つものを円板の中心１箇所で支持する場合に適する。
【００１３】
さらに、第１及び第２の発明においては、前記連結部材とそれに対応する前記脚部とを覆うためのカバーを備えるとよい。これによれば、カバーに覆われた脚部及び連結部材が外部から見えず、支持部材（左側板及び右側板）の下部の外観が良好となる。一実施例において、前記脚部はキャスターを有するとよい。
【図面の簡単な説明】
【００１４】
【図１】本発明の第１実施形態に係り、鍵盤を高い位置に設定した状態における電子鍵盤楽器を手前側の右斜め上方から見た全体概略斜視図である。
【図２】（Ａ）は図１の電子鍵盤楽器の側面図であり、（Ｂ）は（Ａ）のｂ−ｂ線に沿って見た電子鍵盤楽器の横断面図である。
【図３】鍵盤を高い位置に設定した状態における左側板及び左土台部を内側斜め下方から見た分解斜視図である。
【図４】鍵盤を高い位置に設定した状態における左側板の下部及び左土台部を左右方向の中央位置にて縦断して外側を見た縦断面図である。
【図５】鍵盤を高い位置に設定した状態における右側板及び右土台部を内側斜め下方から見た分解斜視図である。
【図６】鍵盤を低い位置に設定した状態における左側板及び左土台部を内側斜め下方から見た分解斜視図である。
【図７】鍵盤を低い位置に設定した状態における左側板の下部及び左土台部を左右方向の中央位置にて縦断して外側を見た縦断面図である。
【図８】鍵盤を低い位置に設定した状態における右側板及び右土台部を内側斜め下方から見た分解斜視図である。
【図９】第１実施形態の第１変形例に係る電子鍵盤楽器において、鍵盤を高い位置に設定した状態における左側板の下部及び左土台部を左右方向の中央位置にて縦断して外側を見た縦断面図である。
【図１０】第１実施形態の第１変形例に係る電子鍵盤楽器において、鍵盤を低い位置に設定した状態における左側板の下部及び左土台部を左右方向の中央位置にて縦断して外側を見た縦断面図である。
【図１１】（Ａ）は第２実施形態に係り、テーブル板を高い位置に設定した状態におけるテーブル装置を手前斜め上方から見た全体斜視図であり、（Ｂ）はテーブル板を高い位置に設定した状態における（Ａ）のｂ−ｂ線に沿って見たテーブル装置の下部の縦断面図であり、（Ｃ）はテーブル板を低い位置に設定した状態における（Ａ）のｂ−ｂ線に沿って見たテーブル装置の下部の縦断面図である。
【図１２】（Ａ）は第３実施形態に係り、テーブル板を高い位置に設定した状態におけるテーブル装置を手前側の左斜め上方から見た全体斜視図であり、（Ｂ）はテーブル板を高い位置に設定した状態における（Ａ）のｂ−ｂ線に沿って見たテーブル装置の下部の縦断面図であり、（Ｃ）はテーブル板を低い位置に設定した状態における（Ａ）のｂ−ｂ線に沿って見たテーブル装置の下部の縦断面図である。
【発明を実施するための形態】
【００１５】
[第１実施形態]
以下、本発明の第１実施形態について図面を用いて説明する。図１は、鍵盤装置１０を高い位置に設定した状態における電子鍵盤楽器を手前側の右斜め上方から見た全体概略斜視図である。図２（Ａ）は前記電子鍵盤楽器の側面図であり、図２（Ｂ）は図２（Ａ）のｂ−ｂ線に沿って見た電子鍵盤楽器の横断面図である。
【００１６】
電子鍵盤楽器は、上鍵盤１１、下鍵盤１２及び操作パネル１３を有する鍵盤装置１０を備えている。上鍵盤１１及び下鍵盤１２は、右手及び左手によってそれぞれ演奏される複数の白鍵及び黒鍵からなる。操作パネル１３には、発生される楽音信号の音色、楽音信号に付与される効果などを指定するための図示しない複数の操作子が設けられている。鍵盤装置１０は、詳しくは後述する左側板２０及び右側板３０の上部に組み付けられて、左側板２０及び右側板３０に支持されている。なお、上鍵盤１１及び下鍵盤１２が本発明に係る支持構造によって支持される対象物であり、左側板２０及び右側板３０が本発明に係る支持構造における支持部材として機能する。
【００１７】
鍵盤装置１０の側方であって、左側板２０及び右側板３０の上方には、略三角形状かつ平板状の腕木４１，４２がそれぞれ組み付けられている。ただし、左側の腕木４１に関しては、図示省略されている。左側板２０及び右側板３０の下方には、左土台部５０及び右土台部６０がそれぞれ設けられている。
【００１８】
次に、左側板２０及び左土台部５０について図３及び図４を用いて詳しく説明する。本発明に係る支持構造によれば、対象物である鍵盤装置１０の高さを２段階の高さ位置（以下、「高い位置」及び「低い位置」という）に調整できる。図３は、鍵盤装置１０を「高い位置」に設定した状態における左側板２０及び左土台部５０を内側斜め下方から見た分解斜視図である。図４は、鍵盤装置１０を「高い位置」に設定した状態における左側板２０の下部及び左土台部５０を左右方向の中央位置にて縦断して外側を見た縦断面図である。なお、図３及び図４においては、左方が電子鍵盤楽器の前側に相当し、右方が電子鍵盤楽器の後側に相当する。なお、図４並びに後述する図７、図９及び図１０においては、明確化のために、左右の連結フレーム５１，６１の板厚を実際よりも厚く描いている。また、左右の連結フレーム５１，６１は、それぞれ、左右の側板（支持部材）２０，３０とキャスター（脚部）５２，５３及び６２，６３との間に介装され、該側板（支持部材）及びキャスター（脚部）を所定の上下位置関係で連結するための連結部材として機能する。以下、連結フレーム（連結部材）を単にフレームと略称する。
【００１９】
左側板（右支持部材）２０は、木質材料で構成され、上下方向に延設された直方体状の板状部材である。左側板２０の下端面には、長尺状の金属板２１が左側板２０の下端面に設けた凹部に勘合されて接着剤などにより固着されている。金属板２１には、下面から上面に貫通し、内面に雌ねじを設けた複数のねじ孔２１ａが設けられている。
【００２０】
左側板２０を支持するための左土台部５０は、フレーム５１、キャスター５２，５３及びカバー５４からなる。フレーム５１は、一体成形された金属板で構成され、左側板２０の下端面の前側端よりも前方位置にて前後方向に延設された長方形状の平板部５１ａと、左側板２０の下端面にほぼ対向する位置にて左側板２０の厚さ（左右方向の長さ）よりも若干長い距離だけ隔てた左右両側にて前後方向に延設された狭い幅の平板部５１ｂ，５１ｃと、左側板２０の下端面の後側端よりも後方位置にて狭い幅だけ突出させた平板部５１ｄとを有する。これらの平板部５１ａ，５１ｂ，５１ｃ，５１ｄは同一平面上に配置され、平板部５１ｃの後端部には、さらに平板部５１ｃと同一平面内にて内側に突出させた平板部５１ｅが設けられている。
【００２１】
平板部５１ａ，５１ｂ，５１ｃ，５１ｄで囲まれた領域には、図示上方に突出させて内部に方形状の空間を形成する突出部５１ｆが設けられている。突出部５１ｆの内側部分における前後方向長さは、左側板２０の下端面の前後方向長さよりも僅かに大きい。突出部５１ｆの内側部分における左右方向長さは、左側板２０の下端面の左右方向長さ（左側板２０の厚さ）よりも僅かに大きい。突出部５１ｆの内側部分における深さ（上下方向の長さ）は、キャスター５２，５３の高さよりも小さい。なお、この突出部５１ｆの内側部分における深さは、平板部５１ａ，５１ｂ，５１ｃ，５１ｄ，５１ｅの上面から突出部５１ｆの外側上面までの距離に等しい。また、平板部５１ａの左右両端の前側部分には、それぞれ上方に突出した三角形状の壁部５１ｇ，５１ｈも設けられている。
【００２２】
平板部５１ａ，５１ｂ，５１ｃ，５１ｄ，５１ｅの適宜箇所には、後述する雄ねじ５７を貫通させるための複数の貫通孔５１ｉが設けられている。平板部５１ｂ，５１ｃの適宜箇所には、後述する雄ねじ５７を通過させるための複数の切欠き５１ｊも設けられている。また、平板部５１ａには、キャスター５２を固定するために、内部に雌ねじを形成した複数のねじ孔５１ａ１が設けられている。平板部５１ｅには、キャスター５３を固定するための内部に雌ねじを形成した複数のねじ孔５１ｅ１が設けられている。突出部５１ｆの平面部５１ｆ１における左右方向の中央位置には、前後方向に沿って後述する雄ねじ５８を通過させるための複数の貫通孔５１ｆ２が形成されている。
【００２３】
このように、平板部５１ａと平板部５１ｅは、それぞれ、キャスター５２，５３を取り付けるための取付部位として機能する。また、キャスター５２，５３は、フレーム５１を横方向に移動容易に支持する脚部として機能する。また、突出部５１ｆの平面部５１ｆ１は、前記取付部位（平板部５１ａと５１ｅ）から所定距離だけ離れた高さに形成される「ステップ」（段）として機能する。こうして、連結部材（フレーム５１）は、前記脚部（キャスター５２，５３）を取り付けるための取付部位（平板部５１ａ，５１ｅ）と、前記取付部位から所定距離だけ離れた高さにステップ（平面部５１ｆ１）を形成するように、前記取付部位（平板部５１ａ，５１ｅ）から突出して（異なる高さに）設けられた突出部（５１ｆ）とを含んでいる。
【００２４】
キャスター５２，５３は、支持フレーム５２ａ，５３ａ及び車輪５２ｂ，５３ｂをそれぞれ備えている。支持フレーム５２ａ，５３ａは、それぞれ方形状の平板部を有し、各平板部の下方にて、車輪５２ｂ，５３ｂを水平軸回り及び垂直軸回りに回転可能にそれぞれ支持している。支持フレーム５２ａの平板部には、平板部５１ａに設けた複数のねじ孔５１ａ１に対向して、複数の貫通孔５２ａ１が設けられている。また、支持フレーム５３ａの平板部には、平板部５１ｅに設けたねじ孔５１ｅ１に対向して、複数の貫通孔５３ａ１が設けられている。そして、キャスター５２，５３の支持フレーム５２ａ，５３ａの平板部の上面を、フレーム５１の平板部５１ａ，５１ｅの下面に密着させた状態で、複数の雄ねじ５５，５６を貫通孔５２ａ１，５３ａ１にそれぞれ貫通させて、ねじ孔５１ａ１，５１ｅ１にそれぞれ螺合させることにより、キャスター５２，５３はフレーム５１に固着されている。
【００２５】
カバー５４は、一体成形された金属板で構成され、周囲を囲む側壁部５４ａと上板部５４ｂとを有し、下方を開放させて内部にフレーム５１を収容可能な空間を形成している。そのために、カバー５４は前後方向に延設されて方形状に形成されているが、フレーム５１の平板部５１ｅに対向する部分すなわち後部内側部分を内側（右側）に突出させている。カバー５４の上板部５４ｂには、左側板２０の下端面に対向する位置にて、左側板２０の下端部を貫通させるために、前後方向に延設された長尺状かつ方形状の貫通孔５４ｂ１が形成されている。貫通孔５４ｂ１の前後方向長さは、左側板２０の下端面の前後方向長さよりも僅かに大きく、フレーム５１の突出部５１ｆの内側部分の前後方向長さにほぼ等しい。貫通孔５４ｂ１の左右方向長さは、左側板２０の下端面の左右方向長さ（左側板２０の厚さ）よりも僅かに大きく、フレーム５１の突出部５１ｆの内側部分における左右方向長さにほぼ等しい。カバー５４の上板部５４ｂの下面からは、フレーム５１の平板部５１ａ，５１ｂ，５１ｃ，５１ｄ，５１ｅの適宜箇所に設けた貫通孔５１ｉ及び切欠き５１ｊに対向する位置にて、内部に雌ねじを形成した複数の円筒状の突起５４ｂ２が下方に突出している。
【００２６】
複数の突起５４ｂ２の雌ねじには、フレーム５１の平板部５１ａ，５１ｂ，５１ｃ，５１ｄ，５１ｅの上面を突起５４ｂ２に密着させた状態で、複数の雄ねじ５７が平板部５１ａ，５１ｂ，５１ｃ，５１ｄ，５１ｅに設けた貫通孔５１ｉ及び切欠き５１ｊを通過して螺合されている。これにより、フレーム５１にはカバー５４が固着される。また、左側板２０の下端部をカバー５４の上板部５４ｂに設けた貫通孔５４ｂ１に貫通させ、かつ左側板２０の下端面をフレーム５１の平面部５１ｆ１上（ステップの上面）に載置密着させた状態で、複数の雄ねじ５８を、下方から貫通孔５１ｆ２にそれぞれ貫通させて、左側板２０の金属板２１に設けたねじ孔２１ａにそれぞれ螺合させるとともに、左側板３０の下端面から左側板３０の下部にそれぞれ侵入させて、左側板２０の下端部にフレーム５１を固着する。その結果、左側板２０の下端部には、フレーム５１、キャスター５２，５３及びカバー５４が組み付けられることになる。
【００２７】
なお、この左側板２０の下端部へのフレーム５１、キャスター５２，５３及びカバー５４の組み付けにおいては、種々の方法を採用できる。例えば、キャスター５２，５３をフレーム５１に組み付けた後に、カバー５４をフレーム５１に組み付け、その後に、キャスター５２，５３及びカバー５４が組み付けられたフレーム５１を左側板２０に組み付けることできる。また、カバー５４をフレーム５１に組み付けた後に、カバー５４の組み付けられたフレーム５１を左側板２０に組み付け、その後にキャスター５２，５３をフレーム５１に組み付けてもよい。さらに、他の順番で、フレーム５１、キャスター５２，５３及びカバー５４を左側板２０の下端部に組み付けるようにしてもよい。
【００２８】
次に、右側板３０及び右土台部６０について図５を用いて詳しく説明する。図５は、鍵盤装置１０を「高い位置」に設定した状態における右側板３０及び右土台部６０を内側斜め下方から見た分解斜視図である。なお、図５においては、左方が電子鍵盤楽器の後側に相当し、右方が電子鍵盤楽器の前側に相当する。
【００２９】
右側板（右支持部材）３０は、前記左側板（左支持部材）２０と同様に木質材料で構成され、上下方向に延設された直方体状の板状部材である。右側板３０は、左側板２０とは左右対称に形成されているが、下端面には、内面に雌ねじを設けたねじ孔３１ａを有する長尺状の金属板３１が固着されている点では左側板２０と同様に構成されている。
【００３０】
右側板３０を支持するための右土台部６０も、前記左土台部５０と同様に、フレーム６１、キャスター６２，６３及びカバー６４からなる。フレーム６１、キャスター６２，６３及びカバー６４は、左土台部５０のフレーム５１、キャスター５２，５３及びカバー５４に対して左右方向に対称である点を除けば、フレーム５１、キャスター５２，５３及びカバー５４と同様に構成されている。そして、フレーム６１は、フレーム５１の平板部５１ａ，５１ｂ，５１ｃ，５１ｄ，５１ｅ、突出部５１ｆ及び壁部５１ｇ，５１ｈと同様な、平板部６１ａ，６１ｂ，６１ｃ，６１ｄ，６１ｅ、突出部６１ｆ及び壁部６１ｇ，６１ｈを備えている。ただし、壁部６１ｇは、図示省略されている。また、平板部６１ａ，６１ｂ，６１ｃ，６１ｄ，６１ｅには貫通孔５１ｉ及び切欠き５１ｊと同様な貫通孔６１ｉ及び切欠き６１ｊが設けられている点、平板部６１ａ，６１ｅにはねじ孔５１ａ１，５１ｅ１と同様なねじ孔６１ａ１，６１ｅ１が設けられている点、及び突出部６１ｆの平面部６１ｆ１には貫通孔５１ｆ２と同様な貫通孔６１ｆ２が設けられている点もフレーム５１と同じである。ただし、貫通孔６１ｆ２は、図示省略されている。
【００３１】
こうして、前記左の連結部材（フレーム５１）と同様に、右の連結部材（フレーム６１）も、前記脚部（キャスター６２，６３）を取り付けるための取付部位（平板部６１ａ，６１ｅ）と、前記取付部位から所定距離だけ離れた高さにステップ（平面部６１ｆ１）を形成するように、前記取付部位（平板部６１ａ，６１ｅ）から突出して（異なる高さに）設けられた突出部（６１ｆ）とを含んでいる。そして、左右の前記連結部材（フレーム５１，６１）は、組み付け状態で、左右対称となる形状に形成されている。
【００３２】
右のキャスター６２，６３も、前記左のキャスター５２，５３と同様に、支持フレーム６２ａ，６３ａ及び車輪６２ｂ，６３ｂを備えている。支持フレーム６２ａ，６３ａ及び車輪６２ｂ，６３ｂも、支持フレーム５２ａ，５３ａ及び車輪５２ｂ，５３ｂと同様に構成されている。そして、支持フレーム６２ａ，６３ａの平板部には、貫通孔５２ａ１，５３ａ１と同様な貫通孔６２ａ１，６３ａ１が設けられている。そして、この場合も、キャスター６２，６３の支持フレーム６２ａ，６３ａの平板部の上面を、フレーム６１の平板部６１ａ，６１ｅの下面に密着させた状態で、複数の雄ねじ６５，６６を貫通孔６２ａ１，６３ａ１にそれぞれ貫通させてねじ孔６１ａ１，６１ｅ１に螺合させることにより、キャスター６２，６３はフレーム６１に固着されている。
【００３３】
カバー６４は、カバー５４と左右方向に対称であって、カバー５４と同様に、一体成形された金属板で構成され、周囲を囲む側壁部６４ａと上板部６４ｂとを有し、下方を開放させて内部にフレーム６１を収容可能な空間を形成している。そして、この場合も、カバー６４は前後方向に延設されて方形状に形成されているが、フレーム６１の平板部６１ｅに対向する部分すなわち後部内側部分を内側（右側）に突出させている。また、この場合も、カバー６４の上板部６４ｂには、右側板３０の下端面に対向する位置にて、右側板３０の下端部を貫通させるために、前後方向に延設された長尺状かつ方形状の貫通孔６４ｂ１が形成されている。貫通孔６４ｂ１の形状及び大きさは、貫通孔５４ｂ１の場合と同じである。また、この場合も、カバー６４の上板部６４ｂの下面からは、突起５４ｂ２と同様な突起６４ｂ２が下方に突出している。
【００３４】
そして、この場合も、複数の突起６４ｂ２の雌ねじには、フレーム６１の平板部６１ａ，６１ｂ，６１ｃ，６１ｄ，６１ｅの上面を突起６４ｂ２に密着させた状態で、複数の雄ねじ６７が平板部６１ａ，６１ｂ，６１ｃ，６１ｄ，６１ｅに設けた貫通孔６１ｉ及び切欠き６１ｊを通過して螺合されている。したがって、この場合も、フレーム６１にはカバー６４が固着されている。また、右側板３０の下端部をカバー６４の上板部６４ｂに設けた貫通孔６４ｂ１に貫通させ、かつ右側板３０の下端面をフレーム６１の平面部６１ｆ１上（ステップの上面）に載置密着させた状態で、複数の雄ねじ６８を、下方から貫通孔６１ｆ２にそれぞれ貫通させて、右側板３０の金属板３１に設けたねじ孔３１ａにそれぞれ螺合させるとともに、右側板３０の下端面から右側板３０の下部にそれぞれ侵入させて、右側板３０の下端部にフレーム６１を固着する。なお、雄ねじ６８及び貫通孔６１ｆ２は図示省略されている。その結果、右側板３０の下端部には、フレーム６１、キャスター６２，６３及びカバー６４が組み付けられることになる。
【００３５】
なお、この場合も、右側板３０の下端部へのフレーム６１、キャスター６２，６３及びカバー６４の組み付けにおいては、種々の方法を採用できる。例えば、キャスター６２，６３をフレーム６１に組み付けた後に、カバー６４をフレーム６１に組み付け、その後に、キャスター６２，６３及びカバー６４が組み付けられたフレーム６１を右側板３０に組み付けることできる。また、カバー６４をフレーム６１に組み付けた後に、カバー６４の組み付けられたフレーム６１を右側板３０に組み付け、その後にキャスター６２，６３をフレーム６１に組み付けてもよい。さらに、他の順番で、フレーム６１、キャスター６２，６３及びカバー６４を右側板３０の下端部に組み付けるようにしてもよい。
【００３６】
このように構成された電子鍵盤楽器においては、フレーム５１は、突出部５１ｆを平板部５１ａ，５１ｂ，５１ｃ，５１ｄ，５１ｅより上方に位置させて左側板２０に組み付けられているとともに、フレーム６１は、突出部６１ｆを平板部６１ａ，６１ｂ，６１ｃ，６１ｄ，６１ｅより上方に位置させて右側板３０に組み付けられている。そして、左側板２０及び右側板３０の下端面は、突出部５１ｆ，６１ｆの平面部５１ｆ１，６１ｆ１（ステップ）の外側上面にそれぞれ載置固定されている。そして、この状態を、本明細書では、鍵盤装置１０すなわち上鍵盤１１及び下鍵盤１２を「高い位置」に設定した状態としている。
【００３７】
すなわち、図３〜図５に示す組み付け状態においては、前記連結部材（フレーム５１，６１）は、前記突出部（５１ｆ，６１ｆ）を上向きにした状態で前記取付部位（平板部５１ａ，５１ｅ，６１ａ，６１ｅ）に前記脚部（キャスター５２，５３，６２，６３）を取り付けたとき、前記取付部位から所定距離だけ「高い位置」に前記ステップ（平面部５１ｆ１，６１ｆ１）が位置して、該ステップ（平面部５１ｆ１，６１ｆ１）に前記支持部材（側板２０，３０）の下部を組み付けるように構成されている。
【００３８】
次に、鍵盤装置１０すなわち上鍵盤１１及び下鍵盤１２を「低い位置」に設定した状態について説明する。まず、左側板２０及び左土台部５０について図６及び図７を用いて説明する。図６は、鍵盤装置１０を「低い位置」に設定した状態における左側板２０及び左土台部５０を内側斜め下方から見た分解斜視図である。図７は、鍵盤装置１０を「低い位置」に設定した状態における左側板２０の下部及び左土台部５０を左右方向に中央位置にて縦断して外側を見た縦断面図である。なお、図６及び図７においても、図３及び図４の場合と同様に左方が電子鍵盤楽器の前側に相当し、右方が電子鍵盤楽器の後側に相当する。
【００３９】
この場合、左土台部５０は、図５に示した右土台部６０に用いたフレーム６１を上下逆、すなわちフレーム６１を前後方向の軸線回りに１８０度回転させて用いている。他の構成は、図３及び図４に示した左側板２０及び左土台部５０の構成と同じである。したがって、突出部６１ｆは、平板部６１ａ，６１ｂ，６１ｃ，６１ｄ，６１ｅに対して下方に突出する。しかし、フレーム６１は、フレーム５１と左右方向に対称に形成されているので、平板部６１ａ，６１ｂ，６１ｃ，６１ｄ，６１ｅ、突出部６１ｆ及び壁部６１ｇ，６１ｈの左右方向位置は、前述した鍵盤装置１０を「高い位置」に設定した場合におけるフレーム５１の平板部５１ａ，５１ｂ，５１ｃ，５１ｄ，５１ｅ、突出部５１ｆ及び壁部５１ｇ，５１ｈの左右方向位置と同じである。そして、平板部６１ａ，６１ｂ，６１ｃ，６１ｄ，６１ｅに設けた複数の貫通孔６１ｉ及び切欠き６１ｊ、並びに突出部６１ｆの平面部６１ｆ１に設けた貫通孔６１ｆ２の位置も、前述した鍵盤装置１０を「高い位置」に設定した場合における平板部５１ａ，５１ｂ，５１ｃ，５１ｄ，５１ｅに設けた複数の貫通孔５１ｉ及び切欠き５１ｊ、並びに突出部５１ｆの平面部５１ｆ１に設けた貫通孔５１ｆ２の位置とそれぞれ一致する。また、平板部６１ａ，６１ｅに設けた複数のねじ孔６１ａ１，６１ｅ１の位置も、前述した鍵盤装置１０を「高い位置」に設定した場合における平板部５１ａ，５１ｅに設けた複数のねじ孔５１ａ１，５１ｅ１の位置とそれぞれ一致する。
【００４０】
したがって、キャスター５２，５３は、複数の雄ねじ５５，５６を貫通孔５２ａ１，５３ａ１をそれぞれ貫通させて、ねじ孔６１ａ１，６１ｅ１にそれぞれ螺合させることにより、フレーム６１に固着される。複数の雄ねじ５７を平板部６１ａ，６１ｂ，６１ｃ，６１ｄ，６１ｅに設けた貫通孔６１ｉ及び切欠き６１ｊを通過させて、複数の突起５４ｂ２の雌ねじに螺合させることにより、フレーム６１にはカバー５４が固着される。また、左側板２０の下端部をカバー５４の上板部５４ｂに設けた貫通孔５４ｂ１に貫通させ、かつ左側板２０の下端部を突出部６１ｆの内側凹部に侵入させて、左側板２０の下端面を突出部６１ｆの内側凹部の底面（平面部６１ｆ１すなわちステップの上面）に密着させた状態で、複数の雄ねじ５８を、下方から貫通孔６１ｆ２にそれぞれ貫通させて、左側板２０の金属板２１に設けたねじ孔２１ａにそれぞれ螺合させるとともに、左側面２０の下端面から左側板２０の下部にそれぞれ侵入させて、左側板２０の下端部にフレーム６１を固着する。その結果、左側板２０の下端部には、フレーム６１、キャスター５２，５３及びカバー５４が組み付けられることになる。また、この場合も、左側板２０の下端部へのフレーム６１、キャスター５２，５３及びカバー５４の組み付けにおいては、前述した左側板２０の下端部へのフレーム５１、キャスター５２，５３及びカバー５４の組み付けと同様に種々の方法を採用できる。
【００４１】
次に、鍵盤装置１０すなわち上鍵盤１１及び下鍵盤１２を「低い位置」に設定した状態における、右側板３０及び右土台部６０について図８を用いて説明する。図８は、鍵盤装置１０を「低い位置」に設定した状態における右側板３０及び右土台部６０を内側斜め下方から見た分解斜視図である。なお、図８においても、図５の場合と同様に左方が電子鍵盤楽器の後側に相当し、右方が電子鍵盤楽器の前側に相当する。
【００４２】
この場合、右土台部６０は、図３及び図４に示した左土台部５０に用いたフレーム５１を上下逆、すなわちフレーム５１を前後方向の軸線回りに１８０度回転させて用いている。他の構成は、図５に示した右側板３０及び右土台部６０の構成と同じである。したがって、突出部５１ｆは、平板部５１ａ，５１ｂ，５１ｃ，５１ｄ，５１ｅに対して下方に突出する。しかし、フレーム５１は、フレーム６１と左右方向に対称に形成されているので、平板部５１ａ，５１ｂ，５１ｃ，５１ｄ，５１ｅ、突出部５１ｆ及び壁部５１ｇ，５１ｈの左右方向位置は、前述した鍵盤装置１０を「高い位置」に設定した場合におけるフレーム６１の平板部６１ａ，６１ｂ，６１ｃ，６１ｄ，６１ｅ、突出部６１ｆ及び壁部６１ｇ，６１ｈの左右方向位置と同じである。そして、平板部５１ａ，５１ｂ，５１ｃ，５１ｄ，５１ｅに設けた複数の貫通孔５１ｉ及び切欠き５１ｊ、並びに突出部５１ｆの平面部５１ｆ１に設けた貫通孔５１ｆ２の位置も、前述した鍵盤装置１０を「高い位置」に設定した場合における平板部６１ａ，６１ｂ，６１ｃ，６１ｄ，６１ｅに設けた複数の貫通孔６１ｉ及び切欠き６１ｊ、並びに突出部６１ｆの平面部６１ｆ１に設けた貫通孔６１ｆ２の位置とそれぞれ一致する。また、平板部５１ａ，５１ｅに設けた複数のねじ孔５１ａ１，５１ｅ１の位置も、前述した鍵盤装置１０を「高い位置」に設定した場合における平板部６１ａ，６１ｅに設けた複数のねじ孔６１ａ１，６１ｅ１の位置とそれぞれ一致する。
【００４３】
したがって、キャスター６２，６３は、複数の雄ねじ６５，６６を貫通孔６２ａ１，６３ａ１をそれぞれ貫通させて、ねじ孔５１ａ１，５１ｅ１にそれぞれ螺合させることにより、フレーム５１に固着される。複数の雄ねじ６７を平板部５１ａ，５１ｂ，５１ｃ，５１ｄ，５１ｅに設けた貫通孔５１ｉ及び切欠き５１ｊを通過させて、複数の突起６４ｂ２の雌ねじに螺合させることにより、フレーム５１にはカバー６４が固着される。また、右側板３０の下端部をカバー６４の上板部６４ｂに設けた貫通孔６４ｂ１に貫通させ、かつ右側板３０の下端部を突出部５１ｆの内側凹部に侵入させて、右側板３０の下端面を突出部５１ｆの内側凹部の底面（平面部５１ｆ１すなわちステップの上面）に密着させた状態で、複数の雄ねじ６８を、下方から貫通孔５１ｆ２にそれぞれ貫通させて、右側板３０の金属板３１に設けたねじ孔３１ａにそれぞれ螺合させるとともに、右側板３０の下面から右側板３０の下部にそれぞれ侵入させて、右側板３０の下端部にフレーム５１を固着する。なお、雄ねじ６８及び貫通孔５１ｆ２は図示省略されている。その結果、右側板３０の下端部には、フレーム５１、キャスター６２，６３及びカバー６４が組み付けられることになる。また、この場合も、右側板３０の下端部へのフレーム５１、キャスター６２，６３及びカバー６４の組み付けにおいては、前述した右側板３０の下端部へのフレーム６１、キャスター６２，６３及びカバー６４の組み付けと同様に種々の方法を採用できる。
【００４４】
このように構成された電子鍵盤楽器においては、フレーム６１は、突出部６１ｆを平板部６１ａ，６１ｂ，６１ｃ，６１ｄ，６１ｅより下方に位置させて左側板２０に組み付けられているとともに、フレーム５１は、突出部５１ｆを平板部５１ａ，５１ｂ，５１ｃ，５１ｄ，５１ｅより下方に位置させて右側板３０に組み付けられている。そして、左側板２０及び右側板３０の下端面は、突出部６１ｆ，５１ｆの平面部６１ｆ１，５１ｆ１（ステップ）の内側上面に載置固定されている。すなわち、左側板２０及び右側板３０の下端面は、下方に突出した突出部６１ｆ，５１ｆの内底面に載置固定されている。
【００４５】
すなわち、図６〜図８に示す組み付け状態においては、前記連結部材（フレーム５１，６１）は、前記突出部（５１ｆ，６１ｆ）を下向きにした状態で前記取付部位（平板部５１ａ，５１ｅ，６１ａ，６１ｅ）に前記脚部（キャスター５２，５３，６２，６３）を取り付けたとき、前記取付部位から所定距離だけ「低い位置」に前記ステップ（平面部５１ｆ１，６１ｆ１）が位置して、該ステップ（平面部５１ｆ１，６１ｆ１）に前記支持部材（側板２０，３０）の下部を組み付けるように構成されている。したがって、この場合には、鍵盤装置１０は、前述した鍵盤装置１０を「高い位置」に設定した状態に比べて、突出部６１ｆ，５１ｆの内部深さの２倍だけ低く設定されることになる。
【００４６】
上記のように構成された電子鍵盤楽器においては、左側板２０及び右側板３０と、キャスター５２，５３，６２，６３との間にフレーム５１，６１を介装させた。フレーム５１，６１には、キャスター５２，５３，６２，６３が固定される平板部５１ａ，６１ａ，５１ｅ，６１ｅと、平板部５１ａ，６１ａ，５１ｅ，６１ｅの板面から一方の側にキャスター５２，５３，６２，６３の上下方向長さよりも短い長さだけ突出させた突出部５１ｆ，６１ｆとを設けた。そして、鍵盤装置１０（上鍵盤１１及び下鍵盤１２）を「高い位置」に設定する場合には、平板部５１ａ，６１ａ，５１ｅ，６１ｅを突出部５１ｆ，６１ｆよりも下方に位置させて、平板部５１ａ，６１ａ，５１ｅ，６１ｅにキャスター５２，５３，６２，６３を固定した。また、左側板２０及び右側板３０の下端面を突出部５１ｆ，６１ｆの平面部５１ｆ１，６１ｆ１上に載置して固定した。一方、鍵盤装置１０を「低い位置」に設定する場合には、平板部５１ａ，６１ａ，５１ｅ，６１ｅを突出部５１ｆ，６１ｆよりも上方に位置させて、平板部５１ａ，６１ａ，５１ｅ，６１ｅにキャスター５２，５３，６２，６３を固定した。また、左側板２０及び右側板３０の下端部を突出部５１ｆ，６１ｆの凹部内に侵入させて平面部５１ｆ１，６１ｆ１上に載置して固定した。その結果、上記第１実施形態の電子鍵盤楽器によれば、左側板２０、右側板３０、左土台部５０及び右土台部６０からなり、鍵盤装置１０を支持し、かつ鍵盤装置１０の高さを変更することを可能とする支持装置において、高い強度及び安定性を有し、製造コストを低く抑えることができる。
【００４７】
また、フレーム５１及びフレーム６１はそれぞれ左右対称となる形状に形成されている。そして、鍵盤装置１０の高さを高い状態に設定する場合には、突出部５１ｆを上側に位置させてフレーム５１を左土台部５０の一部として用いるとともに、突出部６１ｆを上側に位置させてフレーム６１を右土台部６０の一部として用いる。一方、鍵盤装置１０の高さを低い状態に設定する場合には、突出部５１ｆを前記とは逆に下側に位置させてフレーム５１を右土台部６０の一部として用いるとともに、突出部６１ｆを前記とは逆に下側に位置させてフレーム６１を左土台部５０の一部として用いる。その結果、上記第１実施形態の電子楽器によれば、鍵盤装置１０の高さの変更において、フレーム５１，６１を有効に活用でき、部品点数を減らすことができる。
【００４８】
また、一対のフレーム５１，６１は、組み付け状態において、鍵盤装置１０が高い状態に設定された場合でも、鍵盤装置１０が低い状態に設定された場合でも、平板部５１ａ，６１ａは共に左側板２０及び右側板３０の前方に位置する。また、平板部５１ｅ，６１ｅは、左側板２０及び右側板３０の後部にて、共に内側に位置する。換言すれば、フレーム５１，６１（連結部材）は、前端部と後端部とを有し、内側に突出するように構成された平板部５１ｅ，６１ｅ（第１の取付部位）が後端部に設けられ、内側に突出していない平板部５１ａ，６１ａ（第２の取付部位）は前端部に設けられている。そして、平板部５１ａ，６１ａ，５１ｅ，６１ｅに、キャスター５２，５３，６２，６３が組み付けられている。その結果、上記第１実施形態の電子鍵盤楽器によれば、電子鍵盤楽器を室内に設置する場合でも、平板部５１ａ，６１ａ，５１ｅ，６１ｅ及びキャスター５２，５３，６２，６３を左右壁及び後壁に衝突させることなく、的確に電子楽器を配置させることができる。また、平板部５１ｅ，６１ｅ及びキャスター５３，６３は左側板２０及び右側板３０から外側に位置しないので、電子鍵盤楽器の外観も良好となる。
【００４９】
さらに、上記のように構成された電子鍵盤楽器においては、フレーム５１，６１及びキャスター５２，５３，６２，６３は、フレーム５１，６１に固定されたカバー５４，６４によって覆われている。その結果、上記第１実施形態の電子鍵盤楽器によれば、カバー５４，６４内にあるフレーム５１，６１及びキャスター５２，５３，６２，６３が外部からは見えず、左土台部５０及び右土台部６０の外観が良好となる。
【００５０】
[第１変形例]
次に、上記第１実施形態の第１変形例に電子鍵盤楽器ついて、図９及び図１０を用いて説明する。図９は、第１変形例に係る電子鍵盤楽器において、鍵盤装置１０を「高い位置」に設定した状態における左側板２０の下部及び左土台部５０を左右方向に中央位置にて縦断して外側を見た縦断面図である。図１０は、第１実施形態の第１変形例に係る電子鍵盤楽器において、鍵盤装置１０を「低い位置」に設定した状態における左側板２０の下部及び左土台部５０を左右方向に中央位置にて縦断して外側を見た縦断面図である。なお、図９及び図１０の縦断面図はそれぞれ図４及び図７の縦断面図に対応している。
【００５１】
この第１変形例においては、上記第１実施形態のキャスター５２，５３，６２，６３に代えて、回転移動不能な単なる脚７１，７２，７３，７４を用いている。脚７１，７２，７３，７４は、金属材料で形成された有底の円筒部材であり、それらの底部には内部に雌ねじを形成したねじ孔７１ａ，７２ａ，７３ａ，７４ａがそれぞれ設けられている。なお、これらの脚７１，７２，７３，７４に関しては、円筒状部材でなくて内部に空間を形成した方形状部材であってもよいし、内部に空間を有さない円柱状部材、角柱部材であってもよい。フレーム５１，６１の平板部５１ａ，６１ａ，５１ｅ，６１ｅには、雄ねじ７５，７６，７７，７８を上方から貫通させる貫通孔５１ａ２，６１ａ２，５１ｅ２，６１ｅ２が設けられている。そして、脚７１，７２は雄ねじ７５，７６を用いてフレーム５１に固定されるとともに、脚７３，７４は雄ねじ７７，７８を用いてフレーム６１に固定される。なお、図９及び図１０においては、脚７３，７４、ねじ孔７２ａ，７３ａ，７４ａ、平板部５１ｅ，６１ａ，６１ｅ、貫通孔５１ｅ２，６１ａ２，６１ｅ２及び雄ねじ７６，７７，７８に関しては省略されている。他の構成は、上記第１実施形態の構成と同じであるので、その説明を省略する。
【００５２】
この第１変形例においては、鍵盤装置１０を「高い位置」に設定する場合には、図９に示すように、左土台部５０のフレーム５１の突出部５１ｆを平板部５１ａ，５１ｄよりも上方に位置させて、雄ねじ７５，７６を、貫通孔５１ａ２，５１ｅ２を貫通させて、ねじ孔７１ａ，７２ａに螺合させ、脚７１，７２をフレーム５１に固定する。また、右土台部６０に関しては、図示省略しているが、左土台部５０の場合と同様に、脚７３，７４をフレーム６１に固定する。一方、鍵盤装置１０を「低い位置」に設定する場合には、図１０に示すように、左土台部５０のフレーム６１の突出部６１ｆを平板部６１ａ，６１ｄよりも下方に位置させて、雄ねじ７５，７６を、貫通孔６１ａ２，６１ｅ２を貫通させて、ねじ孔７１ａ，７２ａに螺合させ、脚７１，７２をフレーム６１に固定する。また、右土台部６０に関しては、図示省略しているが、この場合も、左土台部５０の場合と同様に、脚７３，７４をフレーム５１に固定する。
【００５３】
このように構成される第１変形例は、上記第１実施形態のキャスター５２，５３，６２，６３を脚７１，７２，７３，７４に変更した点で異なるのみであるので、この第１変形例によっても上述した第１実施形態の効果は期待される。
【００５４】
[その他の変形例]
なお、上記第１実施形態及び第１変形例においては、キャスター５２，５３，６２，６３及び脚７１，７２，７３，７４をフレーム５１，６１にそれぞれねじ固定し、フレーム５１，６１を左側板２０及び右側板３０にそれぞれねじ固定し、かつカバー５４，６４をフレーム５１，６１にそれぞれねじ固定したように、一方の部材を他方の部材にねじ固定するようにした。しかし、このようなねじ固定に代えて、種々の固定方法を採用できる。例えば、雄ねじに代えて弾性を有する係止部材を用い、係止部材を２つの部材に貫通させ、弾性力により貫通状態を維持させて、一方の部材を他方の部材に固定するようにしてもよい。また、一方の部材に弾性変形する係止部材を設けておき、係止部材を他方の部材に貫通させ、弾性力により貫通状態を維持させて、一方の部材を他方の部材に固定するようにしてもよい。さらに、一方の部材と他方の部材とを両面接着テープを用いて固定するようにしてもよい。
【００５５】
上記第１実施形態及び第１変形例においては、フレーム５１とフレーム６１は互いに左右対称であるが、フレーム５１，６１自体は左右対称でない。しかし、フレーム５１，６１として、フレーム５１，６１自体がそれぞれ左右対称であるフレームを採用することも可能である。例えば、フレーム５１，６１において、平板部５１ｅ，６１ｅをなくし、それらに代えて、左側板２０及び右側板３０の下端面よりも後方位置にて前後方向に延設された平板部５１ａ，６１ａと同様な平板部をそれぞれ設けて、上記キャスター５３，６３又は脚７２，７４を平板部５１ｅ，６１ｅに代わる平板部にそれぞれ固定する。ただし、この場合には、平板部５１ｅ，６１ｅに代わる平板部は、左側板２０及び右側板３０の後端よりも後方に突出するので、電子鍵盤楽器を室内に設置する場合には、電子楽器を後壁から離して配置する必要がある。これによれば、鍵盤装置１０を「高い位置」又は「低い位置」に設定する場合に、フレーム５１，６１を左土台部５０と右土台部６０とに入れ替えて用いることなく、フレーム５１，６１を単に上下逆さにすればよい。もちろん、フレーム５１，６１を左土台部５０と右土台部６０とに入れ替えて用いることもできる。また、この場合には、フレーム５１，６１として、同一形状の一種類のフレームを２つ用意すればよいので、製造コストを下げることができる。
【００５６】
また、上記第１実施形態及び第１変形例においては、本発明を上鍵盤１１及び下鍵盤１２の両鍵盤を左側板２０及び右側板３０で支持する電子鍵盤楽器に適用した。しかし、これに代えて、一つの鍵盤（例えば、上鍵盤１１）のみを左側板２０及び右側板３０で支持する電子鍵盤楽器にも本発明に係る支持装置は適用される。
【００５７】
[第２実施形態]
次に、本発明に係る支持構造（支持装置）をテーブル装置に適用した第２実施形態について、図１１を用いて説明する。図１１（Ａ）は、第２実施形態に係り、テーブル板（天板）８１を「高い位置」に設定した状態におけるテーブル装置を手前斜め上方から見た全体斜視図である。図１１（Ｂ）は、テーブル板８１を「高い位置」に設定した状態における図１１（Ａ）のｂ−ｂ線に沿って見たテーブル装置の下部の縦断面図であり、図１１（Ｃ）はテーブル板８１を「低い位置」に設定した状態における図１１（Ａ）のｂ−ｂ線に沿ってテーブル装置の下部の縦断面図である。
【００５８】
このテーブル装置は、金属、樹脂、木材などにより形成された円形かつ平板状のテーブル板８１を有する。テーブル板８１は、支持シャフト８２、フレーム８３及び３つのキャスター８４により支持されている。支持シャフト８２は、上下方向に延設されて底面部８２ａを有する円筒状に金属材料で一体形成されており、上端部にてテーブル板８１の中央部分の下面に固着されている。支持シャフト８２の底面部８２ａには、その中央位置にて内部に雌ねじを形成したねじ孔８２ａ１が設けられている。なお、テーブル板８１が本発明に係る支持構造によって支持される対象物であり、支持シャフト８２が本発明に係る支持構造における支持部材として機能する。
【００５９】
フレーム８３は、金属材料によって一体形成され、一方が開放されかつ他方が閉塞されて内部に円柱状の空間を有する環状に形成された突出部８３ａと、突出部８３ａの開放側の外側端部から径方向外側に水平に延設された方形状の複数の平板部８３ｂ（本実施形態では３つの平板部８３ｂ）とを備えている。突出部８３ａの深さは、キャスター８４の上下方向長さよりも短い。突出部８３ａの水平に延設された平面部８３ａ１の中央位置には、貫通孔８３ａ２が形成されている。また、複数の平板部８３ｂには図示しないねじ孔が設けられており、キャスター８４がそれぞれ固着されている。平板部８３ｂに設けられたねじ孔及びキャスター８４は、上記第１実施形態の平板部５１ａ，５１ｅ，６１ａ，６１ｅに設けたねじ孔５１ａ１，５１ｅ１，６１ａ１，６１ｅ１及びキャスター５２，５３，６２，６３と同じである。
【００６０】
このような構成のテーブル装置においては、テーブル板８１を「高い位置」に設定する場合には、図１１（Ｂ）に示すように、フレーム８３の突出部８３ａを平板部８３ｂの上方に位置させて、支持シャフト８２の底面部８２ａの下面を突出部８３ａの平面部８３ａ１の上面に載置密着させ、雄ねじ８５を、突出部８３ａの貫通孔８３ａ２に下方から貫通させて、底面部８２ａのねじ孔８２ａ１に螺合させ、フレーム８３を支持シャフト８２の底面部８２ａの下面に固着する。また、キャスター８４の平板部８３ｂへの組み付けに関しては、上記第１実施形態の場合と同じであるので、その説明を省略する。
【００６１】
一方、テーブル板８１を「低い位置」に設定する場合には、図１１（Ｃ）に示すように、フレーム８３の突出部８３ａを平板部８３ｂの下方に位置させて、支持シャフト８２の底面部８２ａの下面を突出部８３ａの内側凹部に侵入させて平面部８３ａ１の上面に密着させ、雄ねじ８５を、突出部８３ａの貫通孔８３ａ２に下方から貫通させて、底面部８２ａのねじ孔８２ａ１に螺合させ、フレーム８３を支持シャフト８２の底面部８２ａの下面に固着する。また、キャスター８４の平板部８３ｂへの組み付けに関しては、上記第１実施形態の場合と同じであるので、その説明を省略する。これにより、この場合には、テーブル板８１は、前述したテーブル板８１を「高い位置」に設定した状態に比べて、突出部８３ａの内部深さの２倍だけ低く設定されることになる。
【００６２】
上記のように構成されたテーブル装置においては、支持シャフト８２とキャスター８４との間にフレーム８３を介装させ、フレーム８３には、キャスター８４が固定される平板部８３ｂと、平板部８３ｂの板面から一方の側にキャスター８４の上下方向長さよりも短い長さだけ突出させた突出部８３ａとを設けた。そして、テーブル板８１を「高い位置」に設定する場合には、平板部８３ｂを突出部８３ａよりも下方に位置させて、平板部８３ｂにキャスター８４を固定した。また、支持シャフト８２の底面部８２ａの下面を突出部８３ａの平面部８３ａ１上に載置して固定した。一方、テーブル板８１を「低い位置」に設定する場合には、平板部８３ｂを突出部８３ａよりも上方に位置させて、平板部８３ｂにキャスター８４を固定した。また、支持シャフト８２の底面部８２ａの下面を突出部８３ａの凹部内に侵入させて平面部８３ａ１上に載置して固定した。その結果、上記第２実施形態のテーブル装置によれば、支持シャフト８２、フレーム８３及びキャスター８４からなり、テーブル板８１を支持し、かつテーブル板８１の高さを変更することを可能とする支持装置において、高い強度及び安定性を有し、製造コストを低く抑えることができる。
【００６３】
なお、上記第２実施形態においては、支持シャフト８２及びフレーム８３の突出部８３ａの横断面形状を円形としたが、方形などの異なる形状にしてもよい。また、この第２実施形態においても、上記第１実施形態の第１変形例のように、キャスター８４に代えて回転移動不能な脚を用いることもできる。
【００６４】
また、上記第２実施形態においても、キャスター８４をフレーム８３にねじ固定し、かつフレーム８３を支持シャフト８２にねじ固定したように、一つの部材を他の部材にねじ固定するようにした。しかし、この場合も、ねじ固定に代えて、弾性を有する係止部材を用い、係止部材を２つの部材を貫通させ、弾性力により貫通状態を維持させて、一方の部材を他方の部材に固定するようにしてもよい。また、一方の部材に弾性変形する係止部材を設けておき、係止部材を他方の部材に貫通させ、弾性力により貫通状態を維持させて、一方の部材を他方の部材に固定するようにしてもよい。さらに、一方の部材と他方の部材とを両面接着テープを用いて固定するようにしてもよい。
【００６５】
さらに、この第２実施形態においても、上記第１実施形態の場合と同様に、フレーム８３及びキャスター８４を覆うようなカバーを用意して、カバーをフレーム８３又は支持シャフト８２の下部に組み付けるようにしてもよい。これによれば、支持シャフト８２の下部の外観が向上する。
【００６６】
[第３実施形態]
次に、本発明に係る支持装置を他のテーブル装置に適用した第３実施形態について、図１２を用いて説明する。図１２（Ａ）は、第３実施形態に係り、テーブル板９１を「高い位置」に設定した状態におけるテーブル装置を手前側の左斜め上方から見た全体斜視図である。図１２（Ｂ）は、テーブル板９１を「高い位置」に設定した状態における図１２（Ａ）のｂ−ｂ線に沿って見たテーブル装置の下部の縦断面図であり、図１２（Ｃ）はテーブル板９１を「低い位置」に設定した状態における図１２（Ａ）のｂ−ｂ線に沿って見たテーブル装置の下部の縦断面図である。
【００６７】
このテーブル装置は、金属、樹脂、木材などにより形成された方形かつ平板状のテーブル板９１を有する。テーブル板９１は、４つの支持シャフト９２、４つのフレーム９３及び８つの脚９４により支持されている。支持シャフト９２は、それぞれ上下方向に延設されて底面部９２ａを有する内部に柱状の空間を形成して方形状に金属材料で一体形成されており、上端部にてテーブル板９１の四隅辺りの下面にそれぞれ固着されている。支持シャフト９２の底面部９２ａには、その中央位置にて内部に雌ねじを形成したねじ孔９２ａ１が設けられている。なお、テーブル板９１が本発明に係る支持構造によって支持される対象物であり、支持シャフト９２が本発明に係る支持構造における支持部材として機能する。
【００６８】
各フレーム９３は、それぞれ金属材料によって一体形成され、一方が開放されかつ他方が閉塞されて内部に直方体状の空間を有する方形に形成された突出部９３ａと、突出部９３ａの開放側端部から外側に水平に延設された方形状の２つの平板部９３ｂとを備えている。突出部９３ａの深さは、脚９４の上下方向長さよりも短い。突出部９３ａの水平に延設された平面部９３ａ１の中央位置には、貫通孔９３ａ２が形成されている。また、２つの平板部９３ｂ，９３ｂには、内部に雌ねじを形成したねじ孔９３ｂ１，９３ｂ１がそれぞれ設けられている。各脚９４は、下方を開放させて内部に方形状の空間を有する方形状に形成されて、天上面部９４ａには、貫通孔９４ａ１が設けられている。
【００６９】
このような構成のテーブル装置においては、テーブル板９１を「高い位置」に設定する場合には、図１２（Ｂ）に示すように、フレーム９３の突出部９３ａを平板部９３ｂの上方に位置させて、支持シャフト９２の底面部９２ａの下面を突出部９３ａの平面部９３ａ１の上面に載置密着させ、雄ねじ９５を、突出部９３ａの貫通孔９３ａ２に下方から貫通させて、底面部９２ａのねじ孔９２ａ１に螺合させ、フレーム９３を支持シャフト９２の底面部９２ａの下面に固着する。また、脚９４の天上面部９４ａを平板部９３ｂの下面に密着させて、雄ねじ９６を、天上面部９４ａの貫通孔９４ａ１に下方から貫通させて、平板部９３ｂのねじ孔９３ｂ１に螺合させ、脚９４を平板部９３ｂの下面に固着する。
【００７０】
一方、テーブル板９１を「低い位置」に設定する場合には、図１２（Ｃ）に示すように、フレーム９３の突出部９３ａを平板部９３ｂの下方に位置させて、支持シャフト９２の底面部９２ａの下面を突出部９３ａの凹部内に侵入させて、平面部９３ａ１の上面に載置密着させ、雄ねじ９５を、突出部９３ａの貫通孔９３ａ２に下方から貫通させて、底面部９２ａのねじ孔９２ａ１に螺合させ、フレーム９３を支持シャフト９２の底面部９２ａの下面に固着する。また、脚９４を、前述したテーブル板９１を「高い位置」に設定する場合と同様にして、平板部９３ｂの下面に固着する。これにより、この場合には、テーブル板９１は、前述したテーブル板９１を「高い位置」に設定した状態に比べて、突出部９３ａの内部深さの２倍だけ低く設定されることになる。
【００７１】
上記のように構成されたテーブル装置においては、支持シャフト９２と脚９４との間にフレーム９３を介装させ、フレーム９３には、脚９４が固定される平板部９３ｂと、平板部９３ｂの板面から一方の側に脚９４の上下方向長さよりも短い長さだけ突出させた突出部９３ａとを設けた。そして、テーブル板９１を「高い位置」に設定する場合には、平板部９３ｂを突出部９３ａよりも下方に位置させて、平板部９３ｂに脚９４を固定した。また、支持シャフト９２の底面部９２ａの下面を突出部９３ａの平面部９３ａ１上に載置して固定した。一方、テーブル板９１を「低い位置」に設定する場合には、平板部９３ｂを突出部９３ａよりも上方に位置させて、平板部９３ｂに脚９４を固定した。また、支持シャフト９２の底面部９２ａの下面を突出部９３ａの凹部内に侵入させて平面部９３ａ１上に載置して固定した。その結果、上記第３実施形態のテーブル装置によれば、支持シャフト９２、フレーム９３及び脚９４からなり、テーブル板９１を支持し、かつテーブル板９１の高さを変更することを可能とする支持装置において、高い強度及び安定性を有し、製造コストを低く抑えることができる。
【００７２】
なお、上記第３実施形態においては、支持シャフト９２及びフレーム９３の突出部９３ａの横断面形状を方形としたが、円形、多角形などの異なる形状にしてもよい。また、この第３実施形態においても、上記第２実施形態のように、脚９４に代えて回転移動可能なキャスターを用いることもできる。
【００７３】
また、上記第３実施形態においても、脚９４をフレーム９３にねじ固定し、かつフレーム９３を支持シャフト９２にねじ固定したように、一つの部材を他の部材にねじ固定するようにした。しかし、この場合も、ねじ固定に代えて、弾性を有する係止部材を用い、係止部材を２つの部材に貫通させ、弾性力により貫通状態を維持させて、一方の部材を他方の部材に固定するようにしてもよい。また、一方の部材に弾性変形する係止部材を設けておき、係止部材を他方の部材に貫通させ、弾性力により貫通状態を維持させて、一方の部材を他方の部材に固定するようにしてもよい。さらに、一方の部材と他方の部材とを両面接着テープを用いて固定するようにしてもよい。
【００７４】
さらに、この第３実施形態においても、上記第１実施形態の場合と同様に、フレーム９３及び脚９４を覆うようなカバーを用意して、カバーをフレーム９３又は支持シャフト９２の下部に組み付けるようにしてもよい。これによれば、支持シャフト９２の下部の外観が向上する。
【００７５】
なお、本発明に係る装置は、上記第１乃至第３実施形態及びそれらの変形例に限定されるものではなく、適宜変更して実施することが可能である。
【符号の説明】
【００７６】
１０…鍵盤装置、１１…上鍵盤、１２…下鍵盤、２０…左側板、３０…右側板、２１…金属板、３１…金属板、５０…左土台部、６０…右土台部、５１，６１…フレーム（連結フレーム）、５１ａ，５１ｂ，５１ｃ，５１ｄ，５１ｅ，６１ａ，６１ｂ，６１ｃ，６１ｄ，６１ｅ…平板部、５１ｆ，６１ｆ…突出部、５２，５３，６２，６３…キャスター、５４，６４…カバー、５５，５６，５７，５８，６５，６６，６７，６８…雄ねじ、７１，７２，７３，７４…脚、７５，７６，７７，７８…雄ねじ、８１…テーブル板、８２…支持シャフト、８３…フレーム（連結フレーム）、８３ａ…突出部、８３ｂ…平板部、８４…キャスター、雄ねじ…８５，９１…テーブル板、９２…支持シャフト、９３…フレーム（連結フレーム）、９３ａ…突出部、９３ｂ…平板部、９４…脚、９５，９６…雄ねじ
【図１】
0006756974.tif 000002
【図２】
0006756974.tif 000003
【図３】
0006756974.tif 000004
【図４】
0006756974.tif 000005
【図５】
0006756974.tif 000006
【図６】
0006756974.tif 000007
【図７】
0006756974.tif 000008
【図８】
0006756974.tif 000009
【図９】
0006756974.tif 000010
【図１０】
0006756974.tif 000011
【図１１】
0006756974.tif 000012
【図１２】
0006756974.tif 000013